(57)【要約】      （修正有）【課題】気温の低い時期でも患者に不快感を与えることがないよう聴診器の集音部を加温することができ、聴診器自体には加温のための構成を設けることを必要としない、簡易な構成の聴診器加温器を提供する。【解決手段】聴診器加温器１は、互いに離隔接近して開閉し、閉状態で聴診器１００の集音部１０１を収容可能な収容空間を形成する第一基体１０及び第二基体２０と、収容空間の内部側に設けられ、使い捨てカイロ１１０を支持可能な第一カイロ支持部４１及び第二カイロ支持部４２と、第二基体の自由端に設けられ、閉状態で収容空間の内外を連通させて集音部から延びる聴診管１０２を挿通させる切欠き３１とを具備する。【選択図】図４
0003134446.tif 000002
【実用新案登録請求の範囲】
【請求項１】
互いに離隔接近して開閉し、閉状態で聴診器の集音部を収容可能な収容空間を形成する第一基体及び第二基体と、
前記収容空間の内部側に設けられ、使い捨てカイロを支持可能なカイロ支持部と、
前記第一基体及び前記第二基体の少なくとも何れか一方の自由端に設けられ、閉状態で前記収容空間の内外を連通させて前記集音部から延びる聴診管を挿通させる切欠きと
を具備することを特徴とする聴診器加温器。
【請求項２】
前記カイロ支持部は、使い捨てカイロの端部を挿入させて支持する第一カイロ支持部、及び、使い捨てカイロの粘着部を貼着させて支持する第二カイロ支持部の少なくとも何れか一方を具備する
ことを特徴とする請求項１に記載の聴診器加温器。
【請求項３】
前記第一基体及び前記第二基体はヒンジ部で連結されており、
前記第一基体及び前記第二基体を閉状態へ付勢する付勢部材を更に具備する
ことを特徴とする請求項１または請求項２に記載の聴診器加温器。
【請求項４】
前記第一基体及び前記第二基体の少なくとも何れか一方の外側表面に設けられたクリップ状またはフック状の係止部を、更に具備することを特徴とする請求項１乃至請求項３の何れか一つに記載の聴診器加温器。
【考案の詳細な説明】
【技術分野】
【０００１】
本考案は、聴診器加温器に関するものであり、特に、聴診器の集音部を加温する聴診器加温器に関するものである。
【背景技術】
【０００２】
聴診器を用いて診察を行う場合、聴診器の集音部は患者の胸部や背部等の皮膚に直接当てられる。そのため、冬季を中心とした気温の低い時期では、低温となった集音部が皮膚に当てられた際に、患者が不快に感じることが多い。そこで、聴診器の集音部に発熱体が設けられた聴診器が提案されている（例えば、特許文献１参照）。
【０００３】
【特許文献１】特開２００３−１６９７９７号公報
【考案の開示】
【考案が解決しようとする課題】
【０００４】
しかしながら、上記の聴診器は、発熱体や発熱体の電源を聴診器に備えさせることにより、聴診器自体の構成が複雑となり、コストも嵩むものであった。また、医師等がそれまで使用してきた聴診器を、発熱体付きの聴診器に個々に代替させることは、実際的ではなかった。
【０００５】
そこで、本考案は、上記の実情に鑑み、気温の低い時期でも患者に不快感を与えることがないよう聴診器の集音部を加温することができ、聴診器自体には加温のための構成を設けることを必要としない、簡易な構成の聴診器加温器の提供を課題とするものである。
【課題を解決するための手段】
【０００６】
上記の課題を解決するため、本考案に係る聴診器加温器は、「互いに離隔接近して開閉し、閉状態で聴診器の集音部を収容可能な収容空間を形成する第一基体及び第二基体と、前記収容空間の内部に設けられ、使い捨てカイロを支持可能なカイロ支持部と、前記第一基体及び前記第二基体の少なくとも何れか一方の自由端に設けられ、閉状態で前記収容空間の内外を連通させて前記集音部から延びる聴診管を挿通させる切欠きとを」具備している。
【０００７】
「聴診器」は特に限定されず、汎用の多種類の聴診器を広く対象として、本考案を適用することができる。ここで、聴診器は、患者の皮膚にあてる集音部と、集音部から延びる聴診管とから主に構成され、集音された音を両耳で聞くために、一般的に聴診管の先は二股に分岐している。
【０００８】
「第一基体」及び「第二基体」の形状は特に限定されず、例えば、第一基体及び第二基体の一方を一方向に開口した函状とし、他方を開口部を被覆可能な蓋状に形成することができる。あるいは、双方を相反する方向に開口した函状とし、両者が接近した際に一方が他方に外嵌される構成や、両者が接近した際に互いの開口部の縁が当接する構成とすることができる。また、第一基体及び第二基体が「互いに離隔接近して開閉する」構成としては、ヒンジ部で両者が連結された構成や、開状態で両者が分離する構成を例示することができる。なお、以下では、第一基体と第二基体を特に区別する必要がない場合、単に「基体」と総称して説明する。
【０００９】
「使い捨てカイロ」は、鉄等の金属粉末が封入された通気性を有する袋体が、更に通気性を有しない包装体で被覆されたものであり、使用時に包装体から袋体を取り出すと、空気に触れて金属粉末が酸化反応を起こし発熱する。本考案では、市販の多種類の使い捨てカイロを広く利用可能である。
【００１０】
「カイロ支持部」の構成としては、使い捨てカイロの一部を挟み込んで支持する構成、弾性を有するベルト等で使い捨てカイロを基体に押圧して支持する構成、使い捨てカイロを載置する構成等を例示することができる。あるいは、衣類等に貼着するための粘着部が設けられた使い捨てカイロを、貼着させて支持する構成とすることができる。また、カイロ支持部が「収容空間の内部に設けられる」構成としては、収容空間を形成する基体の内側表面に、カイロ支持部を構成する部材が取り付けられるもの、基体の内側表面に取り付けられた部材と内側表面との間に形成される空間によってカイロ支持部が構成されるもの、基体の内側表面自体によってカイロ支持部が構成されるものを例示することができる。
【００１１】
「切欠き」は、第一基体及び第二基体の一方にのみ形成され、閉状態で他方の基体の自由端と孔部を形成するものであっても、第一基体及び第二基体の対応する位置の自由端にそれぞれ切欠きが形成され、閉状態で両方の切欠きが合致して孔部を形成するものであっても良い。
【００１２】
上記の構成により、本考案によれば、カイロ支持部に使い捨てカイロを支持させた状態で、第一基体及び第二基体によって形成される収容空間に聴診器の集音部を収容させることにより、使い捨てカイロの発熱を利用して集音部を加温することができる。これにより、加熱のための構成を聴診器自体に設ける必要がなく、汎用の聴診器を本考案の聴診器加温器で温めることができ、気温の低い時期でも患者に不快感を与えることなく、聴診器を用いた診察を行うことができる。
【００１３】
また、熱源として使い捨てカイロを用いる構成であるため、電源や電気コードが不要であり、場所を問わず聴診器加温器を用いることができる。更に、使用者が聴診器加温器を携帯して、場所を移動することも可能となる。
【００１４】
加えて、第一基体及び第二基体の少なくとも何れか一方の自由端に切欠きが形成されているため、開状態において切欠きの位置に聴診管を配することにより、二股に分岐した部分を含む長く延びた聴診管を、収容空間の外部に引き出しておくことができる。これにより、集音部及びその近傍の聴診管のみが収容空間に収容されるため、収容空間の容積を小さく設定することができ、聴診器加温器自体が嵩張らないと共に、小さな体積の空間内で効率良く集音部を加温することができる。
【００１５】
また、簡易な構成であるため、聴診器加温器自体を安価に製造できることに加え、使い捨てカイロも低廉であり、更に、医師等がこれまで使用してきた聴診器を特別な聴診器に取り替える必要もないため、コストをかけずに聴診器を温めることができる。
【００１６】
本考案に係る聴診器加温器は、「前記カイロ支持部は、使い捨てカイロの端部を挿入させて支持する第一カイロ支持部、及び、使い捨てカイロの粘着部を貼着させて支持する第二カイロ支持部の少なくとも何れか一方を具備する」ものとすることができる。
【００１７】
「第一カイロ支持部」としては、基体の内側表面に断面略逆Ｌ字状の部材が取り付けられることによって、内側表面との間に使い捨てカイロの端部を挿入可能な空間を形成する構成、使い捨てカイロの端部を挿入可能な開口部を有する函状の部材が基体の内側表面に取り付けられる構成、基体の内側表面から使い捨てカイロの厚み程度の距離に離隔した位置に設けられた爪状の部材と、基体の内側表面との間に使い捨てカイロの端部を挿入させる構成等を例示することができる。なお、第一カイロ支持部に支持される使い捨てカイロの「端部」は、端辺であっても、端辺の一部であっても良い。
【００１８】
「第二カイロ支持部」は、基体の内側表面によって構成させることができる。あるいは、基体とは別体の被貼着体によって第二カイロ支持部を構成させても構わない。なお、第二カイロ支持部は、粘着部との接触面積を減じるための凹凸部を備える構成とすれば、使用後の使い捨てカイロの剥離が容易となり、好適である。
【００１９】
上記の構成により、本考案によれば、第一カイロ支持部及び第二カイロ支持部の少なくとも何れか一方を具備することにより、使い捨てカイロの“ずれ”や外れが防止され、収容空間内に安定的に使い捨てカイロを支持させることができる。また、粘着部を備えた所謂“貼るタイプ”の使い捨てカイロは、第二カイロ支持部によって支持することができ、貼るタイプではない使い捨てカイロは、第一カイロ支持部によって支持することができるため、第一カイロ支持部及び第二カイロ支持部を共に備える構成とすれば、何れのタイプの使い捨てカイロをも使用することができ、より好適である。なお、貼るタイプの使い捨てカイロであっても、第一カイロ支持部に支持させることは、もちろん可能である。
【００２０】
本考案に係る聴診器加温器は、「前記第一基体及び前記第二基体はヒンジ部で連結されており、前記第一基体及び前記第二基体を閉状態へ付勢する付勢部材を更に具備する」ものとすることができる。
【００２１】
「閉状態へ付勢する付勢部材」は、ヒンジ部の回転軸近傍に設けられて開状態で圧縮される、コイルバネや金属薄板バネ等の弾性部材で構成させることができる。或いは、ヒンジ部とは反対側において一端が第一基体に他端が第二基体に取り付けられ、開状態で伸長させられるコイルバネや紐状のゴム等の弾性部材で構成させることができる。
【００２２】
上記の構成により、本考案によれば、ヒンジ部で連結されて開閉する第一基体及び第二基体は、付勢部材の付勢に抗して力が加えられなければ、開状態とならない。これにより、聴診器の集音部を収容した状態で、聴診器加温器の姿勢が変化させられた場合や、使用者が聴診器加温器を携帯して移動する場合であっても、不用意に開状態となり集音部が落下するおそれを低減することができる。
【００２３】
本考案による聴診器加温器は、上記構成に加え、「前記第一基体及び前記第二基体の少なくとも何れか一方の外側表面に設けられたクリップ状またはフック状の係止部を」具備するものとすることができる。ここで、基体の「外側表面」とは、内部空間の形成に寄与しない表面の意で用いている。
【００２４】
上記の構成により、本考案によれば、クリップ状またはフック状の係止部によって、使用者の衣類やかばん等の持ち物に、聴診器加温器を容易に係止させることができる。これにより、聴診器加温器を把持することなく、携帯することができる。例えば、病院内で回診する場合や、患者宅に往診する場合など、医師が移動しながら聴診器加温器で聴診器を温めることができる。
【考案の効果】
【００２５】
以上のように、本考案によれば、聴診器自体には加温のための構成を設ける必要がなく、簡易な構成で聴診器の集音部を加温することができる聴診器加温器を提供することができ、気温の低い時期でも患者に不快感を与えることなく聴診器を用いた診察を行うことが可能となる。
【考案を実施するための最良の形態】
【００２６】
以下、本考案の最良の一実施形態である聴診器加温器について、図１乃至図４に基づいて説明する。ここで、図１は本実施形態の聴診器加温器の（ａ）平面図、（ｂ）右側面図、及び（ｃ）正面図であり、図２は図１におけるＡ−Ａ線端面図であり、図３は図１の聴診器加温器の（ａ）第二基体の底面図、及び（ｂ）第一基体の平面図であり、図４は図１の聴診器加温器の使用状態を説明する説明図である。
【００２７】
本実施形態の聴診器加温器１は、図１乃至図３に示すように、互いに離隔接近して開閉し、閉状態で聴診器の集音部を収容可能な収容空間３０を形成する第一基体１０及び第二基体２０と、収容空間３０の内部側に設けられたカイロ支持部４１，４２と、第二基体２０の自由端に形成された切欠き３１，３２とを具備している。また、本実施形態では、第一基体１０及び第二基体２０はヒンジ部５０で連結され、第一基体１０及び第二基体２０を閉状態へ付勢するねじりコイルバネ５７を具備している。なお、ねじりコイルバネ５７が、本考案の付勢部材に相当する。
【００２８】
より詳細に説明すると、第一基体１０は平面視略矩形の平板状に形成されている。一方、第二基体２０は一方向に開口した平面視略矩形の函状に形成され、開口した側を第一基体１０に向け、ヒンジ部５０によって第一基体１０と連結されている。従って、第一基体１０及び第二基体２０が接近して第二基体２０の開口が第一基体１０によって被覆された閉状態では、函状の第二基体２０の容積と略等しい体積の収容空間３０が内部に形成される。なお、聴診器の集音部のサイズは区々であるが、使い捨てカイロと共に一般的な聴診器の集音部を収容可能な収容空間３０として、例えば、函状の第二基体２０のサイズを、（５０〜１５０）ｍｍ×（５０〜１００）ｍｍ×（２０〜５０）ｍｍとすることができる。
【００２９】
第二基体２０の隣接する二側面、すなわち、ヒンジ部５０の回動軸５５に略平行な一側面と、回動軸５５に略直交する一側面の自由端には、それぞれ第一切欠き３１及び第二切欠き３２が形成されている。これにより、閉状態において、第一切欠き３１と第一基体１０との間に、内部空間の内外を連通する第一連通部３５が形成され、第二切欠き３２と第一基体１０との間に、内部空間の内外を連通する第二連通部３６が形成される。
【００３０】
第一基体１０及び第二基体２０は、それぞれヒンジ部５０より更に延設されて、開閉操作を行うための第一操作部１１及び第二操作部２１となっている。また、ヒンジ部５０は、第一基体１０から第二基体２０に向かって突設された第一突片１５と、第二基体２０から第一基体１０に向かって突設された第二突片２５と、両突片１５，２５にそれぞれ穿設された軸孔を挿通する回動軸５５とによって構成されている。
【００３１】
加えて、本実施形態では、ねじりコイルバネ５７がヒンジ部５０に取り付けられている。ここで、ねじりコイルバネ５７は、図２に示すように、コイル部５７ａ及びコイル部５７ａの両端から延設されたバネ腕部５７ｂから構成され、コイル部５７ａに回動軸５５を挿通させている。また、二つのバネ腕部５７ｂは、それぞれ屈曲してコイル部５７ａの略中央でコイル部５７ａと略直交すると共に相反する方向に延び、第一操作部１１及び第二操作部２１の互いに対面する面にそれぞれ設けられた、第一バネ腕支持部１７及び第二バネ腕支持部２７に支持されている。本実施形態の第一バネ腕支持部１７及び第二バネ腕支持部２７は、図３に示すように、それぞれ第一操作部１１及び第二操作部２１から突設された二本の線状突部により構成され、その間隙にバネ腕部５７ｂを挿入させて支持する。
【００３２】
これにより、開状態では、第一操作部１１及び第二操作部２１が回動軸５５周りにそれぞれ回動して互いに接近することにより、第一バネ腕支持部１７及び第二バネ腕支持部２７に両バネ腕部５７ｂが支持されたねじりコイルバネ５７のコイル部５７ａが圧縮され、第一基体１０及び第二基体２０は閉状態に付勢される。また、上記のように、ねじりコイルバネ５７のバネ腕部５７ｂは、コイル部５７ａの略中央でコイル部５７ａに略直交するように延びているため、第一基体１０と第二基体２０とが回動運動する際に、両者間に捻れが生じることがなく、スムーズに開閉する。
【００３３】
本実施形態では、カイロ支持部として、使い捨てカイロの端部を挿入させて支持する第一カイロ支持部４１と、使い捨てカイロの粘着部を貼着させて支持する第二カイロ支持部４２とを具備している。ここで、第一カイロ支持部４１は、第一基体１０の内側表面から、正面視で略逆Ｌ字状（図２参照）に立設されたカイロ端受部４５と、第一基体１０の内側表面とによって形成された、閉端の中空空間として構成されている。また、カイロ端受部４５は一対が設けられ、第一基体１０において回動軸５５と略平行な一対の辺に沿って、それぞれの自由端を向かい合わせるように設けられている。一方、第二カイロ支持部４２は、第二基体２０の内側表面と、第二基体２０の内側表面に設けられた複数の円環状の突部４６とによって構成されている。なお、突部４６は、使い捨てカイロの粘着部との接触面積を減じるための構成であり、形状は円環状に限定されず、円形状、直線状、曲線状、半球状等、種々の形状とすることができる。
【００３４】
更に、本実施形態では、第一基体１０の外側表面に、クリップ状の係止部６１が設けられている。また、第一操作部１１には、紐、ベルト、チェーン等の紐状部材を挿通可能な孔部６２が穿設されている。
【００３５】
次に、本実施形態の聴診器加温器１の使用方法について、主に図４を用いて説明する。まず、第一操作部１１及び第二操作部２１を操作し、ねじりコイルバネ５７の付勢に抗して、両操作部１１，２１を近接させるように回動軸５５周りに回動させると、これに伴い、ヒンジ部５０を介した反対側で第一基体１０及び第二基体２０が離隔し、開状態となる。この状態で、カイロ支持部４１，４２に使い捨てカイロ１１０を支持させることができる。例えば、使い捨てカイロ１１０が貼るタイプではない場合、あるいは、貼るタイプであっても粘着部の剥離シートを剥離せずに使用する場合等、使い捨てカイロ１１０の一方の端部を、一対の第一カイロ支持部４１の一方に挿入し、使い捨てカイロ１１０の他方の端部を他方の第一カイロ支持部４１に挿入する。これにより、使い捨てカイロ１１０の両端部が、一対の第一カイロ支持部４１によって安定的に支持される。また、使い捨てカイロが、粘着部を有する貼るタイプであるときは、第二カイロ支持部４２に使い捨てカイロを貼着して支持させることができる。
【００３６】
この状態で、聴診器１００の集音部１０１を第一カイロ支持部４１に支持されている使い捨てカイロの上、あるいは、第一基体１０の上に載置し、集音部１０１から延びる聴診管１０２は、第一切欠き３１または第二切欠き３２を通るように配する。その後、第一操作部１１及び第二操作部２１に加えていた力を除去または低減して、ねじりコイルバネ５７の付勢により第一基体１０及び第二基体２０を閉状態とする。このとき、集音部１０１から延びる聴診管１０２は、第一連通部３５または第二連通部３６に挿通されて、集音部１０１及びその近傍の聴診管１０２のみが収容空間３０内に収容され、聴診管１０２の残部は収容空間３０の外部に引き出されている状態となる。
【００３７】
そして、収容空間３０内では、使い捨てカイロ１１０の発熱により、聴診器１００の集音部１０１が加温される。このとき、図４に例示したように、第一カイロ支持部４１に支持された使い捨てカイロ１１０の上に集音部１０１が載置された場合等、集音部１０１が使い捨てカイロ１１０に当接している場合は、使い捨てカイロ１１０によって集音部１０１が直接加熱される。また、図示しないが、例えば、第一基体１０の上に載置された集音部が、第二カイロ支持部４２に貼着された使い捨てカイロとは当接していない場合のように、集音部と使い捨てカイロが直接接していない場合であっても、収容空間３０内の空気が使い捨てカイロによって加熱されることにより、加熱された空気を介して集音部が温められる。
【００３８】
集音部を加温している間、聴診器加温器１は、テーブルや机などに載置しておくことができる。あるいは、クリップ状の係止部６１を、使用者のポケットの縁、上着の衿部、ズボンやスカートのベルト部等に引き掛けることによって、聴診器加温器１を係止させることができる。また、あるいは、第一操作部１１に設けられた孔部６２に紐状部材を挿通して輪をつくり、その輪を使用者の首、肩、腕、あるいは、壁などに取り付けられたフック等に掛けることにより、聴診器加温器１を吊り下げ係止させることができる。
【００３９】
そのように、聴診器加温器１を使用者あるいは他の物体に対して、引き掛け係止あるいは吊り下げ係止させても、第一基体１０及び第二基体２０は、ねじりコイルバネ５７によって常に閉状態に付勢されているため、不用意に開状態となって集音部が落下することが防止されている。
【００４０】
また、使用者に対して聴診器加温器１を引き掛け係止あるいは吊り下げ係止させることにより、使用者が聴診器加温器１を把持することなく携帯して、移動することが可能となる。この際、例えば、聴診管の二股に分岐した部分を、使用者の首や上着のポケットに引き掛けている場合などは、第二連通部３６を通して聴診管を引き出しておけば、屈曲させるような無理な力が聴診管に作用せず、好適である。
【００４１】
集音部が温められたら、再び、第一操作部１１及び第二操作部２１を操作して開状態とし、集音部を取り出して、聴診器を用いて診察を行うことができる。このとき、聴診器加温器１を引き掛け係止あるいは吊り下げ係止させた状態のままで開状態としても、使い捨てカイロは、第一カイロ支持部４１または第二カイロ支持部４２に安定的に支持されており、落下しにくいものとなっている。
【００４２】
使い捨てカイロが発熱している間は、上記の手順により、繰り返して集音部を温めることができるが、使い捨てカイロが発熱しなくなったら、第一カイロ支持部４１または第二カイロ支持部４２から使い捨てカイロを取り外し、新しい使い捨てカイロに取り替える。このとき、第一カイロ支持部４１からは、挿入されている使い捨てカイロの端部を引き出すのみにより、容易に使い捨てカイロを取り外すことができる。また、第二カイロ支持部４２には、円環状の突部４６が複数設けられているため、使い捨てカイロの粘着部には、何れにも貼着されていない部分が残存しており、第二カイロ支持部４２から使い捨てカイロを容易に剥離することができる。
【００４３】
以上のように、本実施形態の聴診器加温器１によれば、第一基体１０及び第二基体２０によって形成される収容空間３０内に聴診器の集音部を収容させ、使い捨てカイロの発熱を利用して集音部を加温することができる。聴診器加温器１は、熱源として使い捨てカイロを用いる簡易な構成であるため、安価に製造できる。加えて、加熱のための構成を聴診器自体に設ける必要がなく、汎用の聴診器をそのまま用いることができるため、コストをかけずに聴診器を温めることができる。
【００４４】
また、集音部から長く延びた聴診管は、第一連通部３５または第二連通部３６から収容空間３０の外部へ引き出しておくことができる構成であるため、収容空間３０の容積を小さく設定することができ、嵩張らない聴診器加温器１となっていると共に、効率良く集音部を加温することができる。
【００４５】
加えて、クリップ状の係止部６１、及び、紐状部材を挿通可能な孔部６２を備えていることにより、聴診器加温器１を把持することなく携帯することができる。
【００４６】
更に、本実施形態では、使い捨てカイロの端部を挿入させて支持する第一カイロ支持部４１と、使い捨てカイロの粘着部を貼着させて支持する第二カイロ支持部４２の両方を備えているため、使い捨てカイロが貼るタイプであるか否かを問わず、安定的に支持することができる。特に、第一カイロ支持部４１は、第一基体１０において、聴診器加温器１が引き掛け係止または吊り下げ係止された際に、略水平方向となる一対の辺に沿って閉端となる中空空間として構成されているため、引き掛け係止または吊り下げ係止されることによって略鉛直方向に立設されることとなる使い捨てカイロが、第一カイロ支持部４１から外れることが有効に防止されている。
【００４７】
また、ヒンジ部５０で連結された第一基体１０と第二基体２０は、ねじりコイルバネ５７によって常に閉状態に付勢されているため、聴診器の集音部を収容した状態で、聴診器加温器１の姿勢が変えられた場合や、聴診器加温器１が引き掛け係止または吊り下げ係止された場合であっても、不用意に開状態となって集音部が落下するおそれのないものとなっている。
【００４８】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００４９】
例えば、本実施形態では、一つの第二切欠き３２によって第一基体１０との間に一つの第二連通部３６が形成される場合を例示したが、これに限定されず、第二基体２０において回動軸５５に略直交する一対の側面にそれぞれ第二切欠き３２を設けることにより、二つの第二連通部３６が形成される構成とすることもできる。このようにすることにより、使用者が右利きであっても左利きであっても、聴診器の集音部を収容空間３０内に収容させ、また取り出す操作を、容易に行うことができる。
【００５０】
加えて、本実施形態では、引き掛け係止または吊り下げ係止させて携帯するために適した聴診器加温器１を例示したが、これに限定されず、机上やテーブルの上に設置して用いるのに適した聴診器加温器とすることができる。その場合は、第一基体及び第二基体を閉状態に付勢する付勢部材は、必ずしも設ける必要はない。また、例えば、第一基体と第二基体により形成された収容空間、カイロ支持部、切欠けをそれぞれ具備する複数の聴診器加温器を列設して、一つの大きな聴診器加温器を構成させることにより、同時に複数の聴診器を加温できる構成とすることができる。あるいは、第一基体と第二基体により形成される収容空間を大きく設定し、複数のカイロ支持部及び切欠けを設けることにより、一つの収容空間内で複数の聴診器を加温できる構成とすることもできる。
【図面の簡単な説明】
【００５１】
【図１】本実施形態の聴診器加温器の（ａ）平面図、（ｂ）右側面図、及び（ｃ）正面図である。
【図２】図１におけるＡ−Ａ線端面図である。
【図３】図１の聴診器加温器の（ａ）第二基体の底面図、及び（ｂ）第一基体の平面図である。
【図４】図１の聴診器加温器の使用状態を説明する説明図である。
【符号の説明】
【００５２】
１  聴診器加温器
１０  第一基体
２０  第二基体
３０  収容空間
３１  第一切欠き（切欠き）
３２  第二切欠き（切欠き）
４１  第一カイロ支持部（カイロ支持部）
４２  第二カイロ支持部（カイロ支持部）
５０  ヒンジ部
５７  ねじりコイルバネ（付勢部材）
６１  係止部
１００  聴診器
１０１  集音部
１０２  聴診管
１１０使い捨てカイロ
【図１】
0003134446.tif 000003
【図２】
0003134446.tif 000004
【図３】
0003134446.tif 000005
【図４】
0003134446.tif 000006